(57)【要約】      （修正有）【課題】アクションを加えなくても、自動的に不規則な動きをするルアーを提供する。【解決手段】ルアー１は、ラインに連繋されるライン連繋部１１と、フックに連繋されるフック連繋部１２と、を有する本体部１０であって、合成樹脂によって形成される本体部１０と、本体部１０に埋設されるウエイト部２０であって、上面視でＳ字状又は逆Ｓ字状に左右に屈曲して形成されたウエイト部２０と、を備えている。そして、このような構成によれば、アクションを加えなくても、自動的に不規則な動きをするルアー１となる。【選択図】図４
2019000011.tif 000002
【特許請求の範囲】
【請求項１】
ラインに連繋されるライン連繋部と、フックに連繋されるフック連繋部と、を有する本体部であって、合成樹脂によって形成される本体部と、
前記本体部に埋設されるウエイト部であって、上面視でＳ字状又は逆Ｓ字状に左右に屈曲して形成されたウエイト部と、を備えるルアー。
【請求項２】
前記本体部は、下部が湾曲した山型に形成されるとともに上部が平坦な平面型に形成されている、請求項１に記載されたルアー。
【請求項３】
前記本体部及びウエイト部は、前端から後端に向かって上方向又は下方向に凸形状に曲げられて形成される、請求項２に記載されたルアー。
【請求項４】
前記本体部及びウエイト部は、前端から後端に向かって直線形状に形成される、請求項２に記載されたルアー。
【請求項５】
前記本体部及び前記ウエイト部は、熱を加えることによって手で上方向又は下方向に凸形状に曲げられることが可能となっている、請求項２乃至請求項４のいずれか一項に記載されたルアー。
【請求項６】
前記ウエイト部は、前端寄りの位置にヘッドウエイト部を一体に有している、請求項１乃至請求項５のいずれか一項に記載されたルアー。
【請求項７】
前記ウエイト部は、後端寄りの位置にテールウエイト部を一体に有している、請求項１乃至請求項６のいずれか一項に記載されたルアー。
【発明の詳細な説明】
【技術分野】
【０００１】
本発明は、釣りに使用されるルアーに関するものである。
【背景技術】
【０００２】
従来から、釣りに使用されるルアーでは、キャスティングしたときに飛距離を稼ぐこと、また、所定の深度まで潜水させること、などを目的として、ルアーの本体内部にウエイト（錘）が配置されているものがある。このようなルアーでは、本体の頭と尾が水中で左右に均等に振動しやすいように、本体の左右方向の中央近傍にウエイト（錘）が配置されている。
【０００３】
例えば、特許文献１には、ルアー本体内部の前後方向にシャフトを配設し、シャフトに沿って移動するウエイトを内蔵してなるルアーにおいて、ウエイトが移動する範囲のうち、任意の位置においてウエイトの表面に当接する当接部をルアー本体内部に設けたルアーが開示されている。このような構成によって、特許文献１では、ウエイトの移動および停止の状態においてルアー本体との衝撃による衝突音の発生を解消するとともに、安価な材料により重心移動可能なルアーとなっている。
【先行技術文献】
【特許文献】
【０００４】
【特許文献１】特開２００８−２５３２０５号公報
【発明の概要】
【発明が解決しようとする課題】
【０００５】
しかしながら、特許文献１を含む従来のルアーでは、ウエイトが左右方向については均等に配置されているため、ロッド等でアクションを加えない限り、ルアーが不規則な動きをすることはなかった。
【０００６】
そこで、本発明は、アクションを加えなくても、自動的に不規則な動きをするルアーを提供することを目的としている。
【課題を解決するための手段】
【０００７】
前記目的を達成するために、本発明のルアーは、ラインに連繋されるライン連繋部と、フックに連繋されるフック連繋部と、を有する本体部であって、合成樹脂によって形成される本体部と、前記本体部に埋設されるウエイト部であって、上面視でＳ字状又は逆Ｓ字状に左右に屈曲して形成されたウエイト部と、を備えている。
【発明の効果】
【０００８】
このように、本発明のルアーは、ラインに連繋されるライン連繋部と、フックに連繋されるフック連繋部と、を有する本体部であって、合成樹脂によって形成される本体部と、本体部に埋設されるウエイト部であって、上面視でＳ字状又は逆Ｓ字状に左右に屈曲して形成されたウエイト部と、を備えている。このような構成によって、アクションを加えなくても、自動的に不規則な動きをするルアーとなる。
【図面の簡単な説明】
【０００９】
【図１】実施例のルアーの平面図である。
【図２】実施例の湾曲型のルアーの側面図である。
【図３】別形態のストレート型のルアーの側面図である。
【図４】図２のＦ−Ｆ断面図である。
【図５】変形例のウエイト部の形状について説明する断面図である。
【図６】ルアーの断面図である。（ａ）は図４のＡ−Ａ断面、（ｂ）は図４のＢ−Ｂ断面、（ｃ）は図４のＣ−Ｃ断面、（ｄ）は図４のＤ−Ｄ断面、（ｅ）は図４のＥ−Ｅ断面である。
【図７】実施例のルアーの動きを説明する説明図である。（ａ）は撮影手法について説明した説明図であり、（ｂ）は従来のルアーの移動軌跡であり、（ｃ）は本発明のルアーの移動軌跡である。
【発明を実施するための形態】
【００１０】
以下、本発明の実施の形態について図面を参照して説明する。以下に説明するルアーは、例えば、全長２０（ｍｍ）〜２６０（ｍｍ）で、重量５（ｇ）〜２８０（ｇ）であることを想定している。この場合、ウエイト部は、全長１０（ｍｍ）〜２６０（ｍｍ）で、重量３（ｇ）〜２５０（ｇ）となる。しかしながら、本発明のルアーの全長や重量は、これらの範囲に限定されるものではなく、より小さいものや大きいものであっても本発明を適用できる。本発明のルアーは、「スライドミノーペンシル」という、新ジャンルのルアーのカテゴリーをなすものである。
【実施例】
【００１１】
（構成）
まず、図１を用いて本発明のルアー１の全体構成を説明する。本発明のルアー１は、図１に示すように、合成樹脂製の本体部１０と、本体部１０に埋設されて鉛等の金属製のウエイト部２０と、を備えている。
【００１２】
本体部１０は、合成樹脂によって形成されているものであり、ラインに連繋されるライン連繋部１１と、フックに連繋されるフック連繋部１２と、を有している。より詳細にいうと、図４に示すように、本体部１０の内部には、ステンレス製などのワイヤ１３が前後方向に貫通されており、ワイヤ１３の前端がＣ字状（乃至Ｏ字状）に曲げられてライン連携部１１とされ、ワイヤ１３の後端がＣ字状（乃至Ｏ字状）に曲げられてフック連携部１２とされる。後述するように、このワイヤ１３は、ウエイト部２０を貫通している。
【００１３】
本体部１０の素材は、比重が小さくて強い合成樹脂を使用することで、本体部１０の強度保持、水流抵抗調整、軽量化の３つを同時に実現させている。このような構成によって、ルアー１が回転しにくく、かつ、不規則な左右スライドアクションや前後スライドフォールを自由に調整できる。すなわち、本体部１０の素材としては、熱可塑性の剛性樹脂を用いることで、熱を加えることによって手で簡単に曲げることが可能となっている。
【００１４】
そして、本体部１０の断面形状は、図６（ａ）〜（ｅ）の断面図に示すように、下部１０ｂが湾曲した山型に形成されるとともに上部１０ａが平坦な平面型に形成されて、全体としては楕円形状に近い形状となっている。換言すると、使用状態における、上部１０ａの曲率は小さく、下部１０ｂの曲率は大きくなっている。
【００１５】
さらに、本体部１０（及びウエイト部２０）は、図２に示すように、前端から後端に向かって上方向に凸形状に曲げられることが好ましい。このように本体部１０が曲げられることによって、水中の泳動姿勢における水の抵抗が増加するため、いっそう不規則なアクションが増長されるようになっている。なお、上述したように、曲がり具合（曲率）は、加熱することによって調整可能となっている。したがって、本体部１０（及びウエイト部２０）は前端から後端に向かって直線形状に形成することもできる。
【００１６】
ウエイト部２０は、比重の大きい素材、例えば鉛等の金属によって形成されているものであり、図４に示すように、上面視でＳ字状に左右に屈曲して形成されている。すなわち、図４に示すように、本体部１０の内部において、棒状のウエイト部２０は、ライン連繋部１１の後方に先端があり、前端から後端に向かって、まず右側に曲がり、次に左側に曲がって中央を超え、最後に右側に曲がってフック連繋部１２の前方まで延びている。なお、ウエイト部２０は、図５に示すように、上面視で逆Ｓ字状に左右に屈曲して形成されることも好ましい。
【００１７】
加えて、ウエイト部２０は、前端寄りの位置にヘッドウエイト部２１を一体に有するとともに、後端寄りの位置にテールウエイト部２２を一体に有している。換言すると、ウエイト部２０の前端及び後端は、それぞれ拡大されている。さらに、ウエイト部２０は、曲がりやすい素材によって形成されているため、手で簡単に曲げることが可能となっている。
【００１８】
また、ウエイト部２０の断面形状は、図６（ａ）、（ｅ）に示すように、前端部近傍及び後端部近傍では、本体部１０と相似形となっている。すなわち、ウエイト部２０の下部は湾曲した山型に形成されるとともに上部は平坦な平面型に形成されて、全体として楕円形状に近い形状となっている。
【００１９】
さらに、ウエイト部２０の断面形状は、図６（ｂ）、（ｄ）に示すように、Ｓ字の斜辺においては、楕円の中央側に向いた面が削ぎ落とされた形状となっている。したがって、ウエイト部２０の断面形状は、図６（ｃ）に示すように、Ｓ字の斜辺の中央近傍においては、楕円の両側面が削ぎ落とされて略四角形状となっている。
【００２０】
（作用）
次に、本実施例のルアー１の作用について説明する。ここでは、実際にボートからラインを介してルアー１を水中で泳動させて前方からカメラで撮影し（図７（ａ）参照）、撮影された動画を解析してルアー１の位置を図７（ｂ）、（ｃ）のグラフ上にプロットした移動軌跡について説明する。撮影では、ルアー１にアクションをつけず、トローリングによってボートを移動させながらルアー１を撮影した。
【００２１】
まず、従来のルアー（ここではペンシル型のミノーを採用した）では、図７（ｂ）に示すように、水中での移動軌跡は、規則的な左右の移動が中心であり、上下の移動も少なく、不規則な動きは見られない。
【００２２】
これに対して、本発明のルアー１では、図７（ｃ）に示すように、水中の移動軌跡は、規則的な左右の小円弧状の移動軌跡に加えて、不規則的な大円弧状の移動軌跡が頻繁に見られる。さらに、ルアー１が上向きや下向きや横向きになるため、円弧の方向についても一定せず、不規則な方向に移動していることがわかる。
【００２３】
（効果）
次に、本実施例のルアー１の奏する効果を列挙して説明する。
【００２４】
（１）上述してきたように、本実施例のルアー１は、ラインに連繋されるライン連繋部１１と、フックに連繋されるフック連繋部１２と、を有する本体部１０であって、合成樹脂によって形成される本体部１０と、本体部１０に埋設されるウエイト部２０であって、上面視でＳ字状又は逆Ｓ字状に左右に屈曲して形成されたウエイト部２０と、を備えている。このような構成によれば、図７に示すように、アクションを加えなくても、自動的に不規則な動きをするルアー１となる。
【００２５】
（２）また、本体部１０は、下部１０ｂが湾曲した山型に形成されるとともに上部１０ａが平坦な平面型に形成されているため、泳ぐ姿勢（上下方向）を安定させて、主として左右方向に不規則な動き（アクション）をさせることができる。
【００２６】
（３）さらに、本体部１０及びウエイト部２０は、前端から後端に向かって上方向又は下方向に凸形状に曲げられて形成されるため、ルアー１が水の抵抗を増して不規則な動きを拡大することができる。
【００２７】
（４）また、本体部１０及びウエイト部２０は、前端から後端に向かって直線形状に形成されることで、不規則なアクションをさせつつ、移動範囲を狭くすることができる。
【００２８】
（５）さらに、本体部１０及びウエイト部２０は、熱を加えることによって手で上方向又は下方向に凸形状に曲げられることが可能となっていることで、水圧・流速に合わせて現場で調整できる。
【００２９】
（６）また、ウエイト部２０は、前端寄りの位置にヘッドウエイト部２１を一体に有しているため、前端の浮き上がりを抑えて、ルアー１が水面から飛び出ないようにすることができる。
【００３０】
（７）さらに、ウエイト部２０は、後端寄りの位置にテールウエイト部２２を一体に有しているため、キャスト時の飛行姿勢を安定させて飛距離をかせぐことができる。
【００３１】
以上、図面を参照して、本発明の実施例を詳述してきたが、具体的な構成は、この実施例に限らず、本発明の要旨を逸脱しない程度の設計的変更は、本発明に含まれる。
【００３２】
例えば、実施例ではウエイト部２０は、Ｓ字状に連続しているとして説明したが、これに限定されるものではなく、すべて連続している必要はなく、途中で途切れていてもよいし、複数に分割されていてもよい。ただし、形状の安定化のためには、ウエイト部２０は一体に連結されていることが好ましい。
【符号の説明】
【００３３】
１          ルアー
１０        本体部
１０ａ      上部
１０ｂ      下部
１１        ライン連携部
１２        フック連携部
１３        ワイヤ
２０        ウエイト部
２１        ヘッドウエイト部
２２        テールウエイト部
【図１】
2019000011.tif 000003
【図２】
2019000011.tif 000004
【図３】
2019000011.tif 000005
【図４】
2019000011.tif 000006
【図５】
2019000011.tif 000007
【図６】
2019000011.tif 000008
【図７】
2019000011.tif 000009
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
ラインに連繋されるライン連繋部と、フックに連繋されるフック連繋部と、を有する本体部であって、合成樹脂によって形成される本体部と、
前記本体部に埋設されるウエイト部であって、上面視でＳ字状又は逆Ｓ字状に左右に屈曲して形成されたウエイト部と、
前記本体部は、下部が湾曲した山型に形成されるとともに上部が平坦な平面型に形成されている、ルアー。
【請求項２】
前記本体部及びウエイト部は、側面視で前端から後端に向かって上方向又は下方向に凸形状に曲げられて形成される、請求項１に記載されたルアー。
【請求項３】
前記本体部及びウエイト部は、側面視で前端から後端に向かって直線形状に形成される、請求項１に記載されたルアー。
【請求項４】
前記本体部及び前記ウエイト部は、熱を加えることによって手で上方向又は下方向に凸形状に曲げられることが可能となっている、請求項１乃至請求項３のいずれか一項に記載されたルアー。
【請求項５】
前記ウエイト部は、前端寄りの位置にヘッドウエイト部を一体に有している、請求項１乃至請求項４のいずれか一項に記載されたルアー。
【請求項６】
前記ウエイト部は、後端寄りの位置にテールウエイト部を一体に有している、請求項１乃至請求項５のいずれか一項に記載されたルアー。